(57)【要約】【課題】床面および壁面を伝って侵入しようとする昆虫類の侵入を確実に防止する。【解決手段】吸込ブロワ６により捕獲対象の昆虫類を吸引可能なスリット８とチャンバ９からなる捕獲機構５を出入口の全幅にわたって設置し、床吸込口７ａから床面近傍の空気を吸い込むとともに壁吸込口７ｂから壁面近傍の空気を吸い込み、その吸引空気流によって昆虫類を吸い込んで捕獲する。吸込口の断面形状をベルマウス形状とする。チャンバに水勾配を設けてその水下側に水抜管２０を接続して封水機構２１を介して排水ピット２２に接続し、捕獲した昆虫類を捕捉するフィルタ２６を排水ピット内から保守可能に設ける。洗浄水や消毒液等の薬液を供給して清浄化するための洗浄機構４０を具備する。【選択図】図２
2009296965.tif 000002
【特許請求の範囲】
【請求項１】
昆虫類の侵入を防止するべき区画内に床面や壁面を伝って侵入しようとする昆虫類を捕獲してその侵入を防止するための昆虫類侵入防止装置であって、
捕獲対象の昆虫類をスリットを通して吸引してチャンバに捕獲する構成の捕獲機構を前記区画の出入口の外側または内側もしくはその双方において該出入口の全幅にわたって設置するとともに、前記チャンバに吸込ブロワを接続してなり、
前記捕獲機構におけるチャンバは、前記出入口の全幅にわたって床面下に設置された床チャンバ部と、該床チャンバ部に接続されて前記出入口の両側の壁部の外側もしくは壁部内に立ち上げられた壁チャンバ部とからなり、
前記捕獲機構におけるスリットは、前記床チャンバ部の上部に一体に接続されてその上端部が床吸込口として床面に開口した床スリット部と、前記壁チャンバ部の出入口側の側部に一体に接続されかつ前記床スリット部に連続してその先端が壁吸込口として前記出入口に面する壁面に開口する壁スリット部からなり、
前記吸込ブロワによって前記床スリット部および前記壁スリット部の双方から前記床チャンバ部および前記壁チャンバ部を通して床面および壁面近傍の空気を吸引することにより、その吸引空気流によって床面および壁面を伝う昆虫類を前記床吸込口および前記壁吸込口に吸い込んで捕獲する構成としたことを特徴とする昆虫類侵入防止装置。
【請求項２】
請求項１記載の昆虫類侵入防止装置であって、
前記捕獲機構における前記床スリット部および前記壁スリット部の先端部に、それぞれ両側に延出する鍔部を折り返して形成するとともに、その折り返し部を滑らかな湾曲面として形成することによって、床吸込口および壁吸込口の断面形状をベルマウス形状としてなることを特徴とする昆虫類侵入防止装置。
【請求項３】
請求項１または２記載の昆虫類侵入防止装置であって、
前記捕獲機構における前記床チャンバ部を水勾配を設けて設置して、該床チャンバ部の水下側に水抜管を接続し、該水抜管の先端部を封水機構を介して排水ピットに接続してなることを特徴とする昆虫類侵入防止装置。
【請求項４】
請求項３記載の昆虫類侵入防止装置であって、
前記捕獲機構におけるチャンバに捕獲した昆虫類を捕捉可能かつ排水ピット内から保守可能なフィルタを水抜管の先端部に設けてなることを特徴とする昆虫類侵入防止装置。
【請求項５】
請求項１〜４のいずれかに記載の昆虫類侵入防止装置であって、
前記捕獲機構に洗浄水や消毒液等の薬液を供給して清浄化するための洗浄機構を具備してなることを特徴とする昆虫類侵入防止装置。
【発明の詳細な説明】
【技術分野】
【０００１】
本発明は清浄を維持するべき区画内への昆虫類の侵入を防止するための装置、特に床面および壁面を伝って出入口から区画内に侵入しようとする昆虫類を確実に捕獲してその侵入を有効に防止可能な装置に関する。
【背景技術】
【０００２】
周知のように、たとえば医薬品や食品を取り扱う各種の建物では高度の清浄度を維持しなければならず、当然に清浄を維持するべき区画内への昆虫類の侵入を確実に防止する必要がある。
そのため、たとえば特許文献１や特許文献２に示されているように、この種の建物の出入口にはエアカーテンやエアシャワー等の昆虫類侵入防止装置を設けることが従来一般的である。
また、特許文献３に示されるように、床面を伝って侵入しようとする昆虫類を吸い込んで捕獲する装置も提案されている。
【特許文献１】特開平８−１７３００８号公報
【特許文献２】特開２００３−１６１４８９号公報
【特許文献３】特開２００７−２９５８６３号公報
【発明の開示】
【発明が解決しようとする課題】
【０００３】
ところで、特許文献１や特許文献２に示されるようなエアカーテンやエアシャワー等の昆虫類侵入防止装置では、出入口に向かって飛び込んでくる昆虫類や、出入口を通過する人や物品に付着している昆虫類の侵入はほぼ防止できるが、床面を伝ってくる昆虫類の侵入は必ずしも充分に防止できないものである。
すなわち、この種の装置は充分な流速、風量の気流によって昆虫類を吹き飛ばすことでその侵入を防止するのであるが、通常は床面付近では流速が大きく低下してしまうことが不可避であるし、特に床と壁との交差部である入隅部では気流の届かないデッドゾーンが生じてしまうこともあり、したがって床面にしっかりとしがみつきつつ這い込んでくる昆虫類（たとえばダンゴムシ、ワラジムシ、クロアリ、チャバネゴキブリ、クロゴキブリなど）の侵入を必ずしも充分には防止できない。
【０００４】
そのため特許文献３に示される装置が提案され、それを上記のようなエアカーテンやエアシャワー等と併用することにより床面を伝ってくる昆虫類の侵入はほぼ確実に防止できるのであるが、その場合においても昆虫類が壁面を伝ってきたり床と壁との入隅部を伝ってくる場合には侵入防止は必ずしも万全とはいえず、さらなる改良が望まれているのが実状である。
【０００５】
上記事情に鑑み、本発明は床面のみならず壁面を伝って侵入しようとする昆虫類の侵入をも確実に防止することのできる有効適切な装置を提供することを目的としている。
【課題を解決するための手段】
【０００６】
請求項１記載の発明は、昆虫類の侵入を防止するべき区画内に床面や壁面を伝って侵入しようとする昆虫類を捕獲してその侵入を防止するための昆虫類侵入防止装置であって、捕獲対象の昆虫類をスリットを通して吸引してチャンバに捕獲する構成の捕獲機構を前記区画の出入口の外側または内側もしくはその双方において該出入口の全幅にわたって設置するとともに、前記チャンバに吸込ブロワを接続してなり、前記捕獲機構におけるチャンバは、前記出入口の全幅にわたって床面下に設置された床チャンバ部と、該床チャンバ部に接続されて前記出入口の両側の壁部の外側もしくは壁部内に立ち上げられた壁チャンバ部とからなり、前記捕獲機構におけるスリットは、前記床チャンバ部の上部に一体に接続されてその上端部が床吸込口として床面に開口した床スリット部と、前記壁チャンバ部の出入口側の側部に一体に接続されかつ前記床スリット部に連続してその先端が壁吸込口として前記出入口に面する壁面に開口する壁スリット部からなり、前記吸込ブロワによって前記床スリット部および前記壁スリット部の双方から前記床チャンバ部および前記壁チャンバ部を通して床面および壁面近傍の空気を吸引することにより、その吸引空気流によって床面および壁面を伝う昆虫類を前記床吸込口および前記壁吸込口に吸い込んで捕獲する構成としたことを特徴とする。
【０００７】
請求項２記載の発明は、請求項１記載の発明の昆虫類侵入防止装置であって、前記捕獲機構における前記床スリット部および前記壁スリット部の先端部に、それぞれ両側に延出する鍔部を折り返して形成するとともに、その折り返し部を滑らかな湾曲面として形成することによって、床吸込口および壁吸込口の断面形状をベルマウス形状としてなることを特徴とする。
【０００８】
請求項３記載の発明は、請求項１または２記載の発明の昆虫類侵入防止装置であって、前記捕獲機構における前記床チャンバ部を水勾配を設けて設置して、該床チャンバ部の水下側に水抜管を接続し、該水抜管の先端部を封水機構を介して排水ピットに接続してなることを特徴とする。
【０００９】
請求項４記載の発明は、請求項３記載の発明の昆虫類侵入防止装置であって、前記捕獲機構におけるチャンバに捕獲した昆虫類を捕捉可能かつ排水ピット内から保守可能なフィルタを水抜管の先端部に設けてなることを特徴とする。
【００１０】
請求項５記載の発明は、  請求項１〜４のいずれか１項に記載の発明の昆虫類侵入防止装置であって、前記捕獲機構に洗浄水や消毒液等の薬液を供給して清浄化するための洗浄機構を具備してなることを特徴とする。
【発明の効果】
【００１１】
本発明の昆虫類侵入防止装置によれば、床面や壁面を伝ってくる昆虫類を出入口の直前または直後もしくはその双方で床吸込口および壁吸込口に吸い込んで捕獲することができ、それにより清浄を維持するべき区画内への昆虫類の侵入を確実に防止することができる。したがって本発明の昆虫類侵入防止装置を、たとえばエアカーテンやエアシャワー等の他の昆虫類侵入防止装置と併用することにより、それら従来の装置の弱点であった床面や壁面からの侵入防止、特に床と壁との入隅部を伝ってくる昆虫類の侵入防止を充分に補完して万全の侵入防止を実現することができる。
【００１２】
また、吸込口の断面形状をベルマウス形状とすることにより昆虫類を吸い込むに必要な充分かつ好ましい吸引空気流を確実に形成できるし、吸込口の両側に滑らかな鍔部を湾曲面として形成することでそこへの昆虫類のしがみつきも防止できてより効果的である。
また、床チャンバ部を水勾配を設けて設置してその水下側に水抜管と排水ピットを設けることにより、捕獲機構からの水抜きを支障なく行うことができるし、水抜管を封水機構を介して排水ピットに接続することで衛生的な問題もなく、昆虫類を捕捉するために設けるフィルタの保守を排水ピット内から行うことも可能となる。
また、清浄化のために洗浄水や消毒液等の薬液を供給するための洗浄機構を設けておけば、捕集機構を常に衛生的に維持することができる。
【発明を実施するための最良の形態】
【００１３】
本発明の一実施形態を図１〜図５を参照して説明する。本実施形態の昆虫類侵入防止装置は、建物（その内部は昆虫類の侵入を防止するべき清浄な区画とされている）の出入口の外側に設置されるものであって、床面および壁面を伝って出入口から建物内に侵入しようとする昆虫類を出入口の手前で確実に捕獲してその侵入を防止するためのものである。
なお、本実施形態は、エアカーテンやエアシャワー等の他の昆虫類侵入防止装置を併用することを前提としていてそれらにより壁面上部や天井面を伝っての昆虫類の侵入は自ずと防止できるものであり、したがって本実施形態の装置自体は床面と壁面下部を伝って侵入することを防止することを主たる目的とし、特に床と壁との入隅部からの侵入を確実に防止し得るものとしている。
【００１４】
図１〜図３において符号１は建物の外壁、２はその出入口、３は出入口１に設けられているシャッター、４は出入口１の外部両側に設けられた袖壁（壁部）であり、本実施形態の昆虫類侵入防止装置はそれら袖壁４の先端部の位置に設置されている。
【００１５】
本実施形態の昆虫類侵入防止装置は、昆虫類を捕獲するための捕獲機構５と、その捕獲機構５に接続された吸込ブロワ６（図２参照）を主体として構成されている。
捕獲機構５は、図３に示すように、捕獲対象の昆虫類を吸込口７からスリット８を通して吸引してチャンバ９に捕獲する構成とされたものであるが、特に吸込口７を床吸込口７ａと壁吸込口７ｂとにより構成するとともに、スリット８を床吸込口７ａを有する床スリット部８ａと壁吸込口７ｂを有する壁スリット部８ｂとにより構成し、チャンバ９を床チャンバ部９ａと壁チャンバ部９ｂとにより構成したものとなっている。
すなわち、本実施形態における捕獲機構５は、両袖壁４間の距離（つまり出入口１の幅）を超える長さとされて床面下に設置された床チャンバ部９ａの両端部にそれぞれ壁チャンバ部９ｂを袖壁４の外側の位置で立ち上げた構成とされ、床チャンバ部９ａの上部に床スリット部８ａを一体に接続してその上端部を床吸込口７ａとして床面に開口させ、壁チャンバ部９ｂの出入口１側の側部には壁スリット部８ｂを一体に接続しかつ上記の床スリット部８ａに連続させて、その先端を壁吸込口７ｂとして出入口１に面する袖壁４の壁面に開口させたものとなっている。
なお、上述したように本実施形態では特に床と壁との入隅部からの侵入防止を目的としていることから、壁吸込口７ｂは壁面下部（たとえば床面上２０〜３０ｃｍ程度の高さまで）に設けることで充分であり、したがって床チャンバ部９ａからの壁チャンバ部９ｂの立ち上げ寸法もそのような範囲に壁吸込口７ｂを形成できるように設定しておけば良い。。
【００１６】
床チャンバ部９ａはたとえば塩化ビニル管等の管材を素材とするもので、図４に示すように、その上部がスリット状に切除されてそこに床スリット部８ａの下部が若干差し込まれた状態で気密保持可能に一体に接続されている。
床スリット部８ａはステンレスやアルミニウム板等の金属板あるいは樹脂成形板等を素材として形成された扁平かつ横長の筒状体であって、その上端が床吸込口７ａとして床面において開口するものであるが、床吸込口７ａとなる床スリット部８ａの上端部は両側に延出するように折り返されてそこには鍔部１０が形成されているとともに、その鍔部１０を形成するために折り返された折り返し部１１は滑らかな湾曲面とされており、これにより、床吸込口７ａの断面形状は滑らかなベルマウス形状とされて自ずと充分かつ好ましい吸引空気流が形成され、かつ、捕獲対象の昆虫類が床吸込口７ａの周辺にしがみつき難いものとされている。
【００１７】
同様に、壁チャンバ部９ｂも床チャンバ部９ａと同様にたとえば塩化ビニル管等の管材を素材とするもので、図５に示すようにその一側部がスリット状に切除されてそこに壁スリット部８ｂの基端部が若干差し込まれた状態で気密保持可能に一体に接続されている。
壁スリット部８ｂも床スリット部８ａと同様にステンレスやアルミニウム板等の金属板あるいは樹脂成形板等を素材として形成された扁平な筒状体であって、その先端が床吸込口７ａと同様のベルマウス形状の壁吸込口７ｂとして袖壁４の壁面下部において開口するものとされている。
【００１８】
なお、上記の捕獲機構５における各部の形状や寸法、特に吸込口７（床吸込口７ａおよび壁吸込口７ｂ）において確保するべき吸引空気流の風速や風量、吸込空気圧（捕獲機構５内において維持するべき負圧）等の仕様は、捕獲対象として想定する昆虫類の種類やその大きさ等を考慮して最適に設定すれば良いが、ダンゴムシ、ワラジムシ、クロアリ、チャバネゴキブリ、クロゴキブリなどを想定した場合の好適な一例を挙げれば、吸込口７の幅は０．５ｃｍ以上かつ５ｃｍ以下とし、吸込口７における吸引空気流の流速は５ｍ／ｓｅｃ以上とすることが好ましい。
また、スリット８（床スリット部８ａおよび壁スリット部８ｂ）の深さ（吸込口７からチャンバ９までの距離）は５ｃｍ以上、吸込口７の両側に設けている鍔部１０の幅寸法は２ｃｍ以上、吸込口７をベルマウス形状とするための折り返し部１１の曲率半径は５ｃｍ以下、チャンバ９（床チャンバ部９ａおよび壁チャンバ部９ｂ）の径寸法は５ｃｍ以上とすることが好ましい。
【００１９】
本実施形態では、吸込口７から捕獲機構５内に水が入ることを想定して、図２に示すように床チャンバ部９ａには１／１００程度の水勾配が設けられていて、その水下側（図２において右端側）には水抜管２０が接続され、水抜管２０の先端部は封水機構２１を介して排水ピット２２に接続されている。符号２３は排水ピット２２からの放流管、２４は排水ピット２２の蓋を兼ねる点検口である。
なお、図示例のものでは排水ピット２２をトラップ桝状としてその底部に封水溜まり２５を確保し、水抜管２０の先端部を下方に向けて封水溜まり２５内に水没させることで封水機構２１としてのトラップを形成しており、したがって吸込ブロワ６によって捕獲機構５内が負圧とされる分だけ、図２に示しているようにトラップ内の水位は周囲よりも若干上昇することになる。
また、本実施形態では、床チャンバ部９ａがそのまま水下側に延長されて（つまり、床チャンバ部９ａを構成している塩化ビニル管等の管材がそのまま水下側に延長されて）、その延長部がそのまま水抜管２０とされており、その先端部の内側には封水溜まり２５よりも上側の位置にフィルタ２６が設けられたものとなっている。フィルタ２６は床チャンバ部９ａに捕獲した昆虫類を捕捉して排水ピット２２への流出を防止し、かつ排水ピット２２から捕獲機構５への昆虫類の侵入を防止するもので、そのフィルタ２６の清掃や保守点検は排水ピット２２内で行うことが可能とされ、そのための点検口２７が水抜管２０の上部にも設けられている。
【００２０】
一方、床チャンバ部９ａの水上側（図２において左端側）にはダクト３０が接続され、そのダクト３０は所望位置で床面上に立ち上げられ、その先端には上記の吸込ブロワ６が接続されている。本実施形態では床チャンバ部９ａがそのまま水上側にも延長されて（つまり、床チャンバ部９ａを構成している塩化ビニル管等の管材がそのまま水上側に延長されて）、その延長部がそのままダクト３０として使用されている。
そのダクト３０の途中にもフィルタ３１が設けられていて、床チャンバ部９ａに捕獲された昆虫類はこのフィルタ３１により捕捉されてしまって吸込ブロワ６を通過して再放出されてしまうことはない。
また、吸込ブロワ６にはその運転／停止を制御するための制御装置３２が付設されている。本実施形態における制御装置３２は、手動による任意の操作が可能であることに加え、予め設定した所望のタイマー制御あるいはプログラム制御によって、吸込ブロワ６をたとえば所望の時間帯のみ間欠的に運転したり、シャッター３の開閉操作に連動させて自動的に運転する（つまり、シャッター３が開かれる際には吸込ブロワ６が必ず運転される）ような制御が可能となっている。勿論、必要であれば吸込ブロワ６を常時連続運転することも可能であるし、他の昆虫類侵入防止装置が並設されているような場合にはそれに連動させて運転するように制御することも考えられる。
【００２１】
さらに、本実施形態の昆虫類侵入防止装置には、捕獲機構５に対して洗浄水や消毒液等の薬液を供給してそれを清浄化するための洗浄機構４０が備えられている。本実施形態における洗浄機構４０は、洗浄水タンク４１から洗浄水を供給管４２を通してノズル４３によりダクト３０の途中に吹き付けるように構成され、その洗浄水をダクト３０から床チャンバ部９ａ、水抜管２０内を流下させることでそれらの内面を洗い流して清浄化するものとされている。なお、洗浄水には必要に応じて消毒液等の薬液４４を混合すれば良い。洗浄機構４０により供給された洗浄水は水抜管２０から排水ピット２２に導かれ、排水ピット２２から放流管２３によって処理装置に導かれ、最終的には必要に応じて適宜の排水処理がなされた後に放流されるようになっている。
【００２２】
以上のように構成された本実施形態の昆虫類侵入防止装置によれば、吸込ブロワ６を運転すると、その吸込力によって床面および壁面下部の近傍の空気が吸込口７に吸引され、その吸引空気流によって近傍にいる昆虫類を吸込口７に吸い込んでスリット８を通してチャンバ９に捕獲することができる。したがって、吸込ブロワ６を運転している限りは昆虫類は吸込口７を跨いで通過することができず、その内側にある出入口１からの建物内への侵入を防止することができ、特に従来においては弱点であった床と壁との入隅部を伝ってくる昆虫類の侵入を確実に防止することができる。
勿論、捕獲された昆虫類は吸引空気流に抗してまでスリット８内を逆行して逃げ出すことは不可能であるし、チャンバ９の前後にはそれぞれフィルタ２６，３１が設けられているので排水ピット２２や吸込ブロワ６側へも逃げ出すことができず、やがては床チャンバ部９ａ内において自ずと死滅してしまう。
【００２３】
特に、本実施形態の昆虫類侵入防止装置では、吸込口７をベルマウス形状に加工しているので、昆虫類を吸い込むに必要な吸引空気流が確実かつ充分に形成され、かつ吸込口７の両側には鍔部１０を滑らかな湾曲面として折り返した折り返し部１１を形成しているのでそこへの昆虫類のしがみつきも防止でき、それにより昆虫類をより確実に吸い込むことができるものとなっている。
【００２４】
また、吸込口７が床面および壁面に開口していることからたとえば雨水の流入や床面清掃の際の洗浄水の流入も想定されるが、本実施形態の昆虫類侵入防止装置では床チャンバ部９ａに水勾配を確保してその水下側に水抜管２０を設け、封水機構２１を介して排水ピット２２に接続しているので、自ずとかつ支障なく水抜きを行い得るし、水洗浄による清掃も容易に行うことができる。
しかも、捕獲機構５に対して洗浄水や薬液を供給して洗浄を行うための洗浄機構４０を設けているので、その洗浄機構４０によって定期的あるいは必要に応じて洗浄作業を適宜行うことにより、捕獲機構５内を容易にかつ確実に洗浄できて常に衛生的に維持することができるし、ゴミや異物により詰まりも防止できる。
【００２５】
以上で説明したように、本実施形態の昆虫類侵入防止装置によれば、床面や壁面を伝ってくる昆虫類の侵入を確実に防止できるものであり、したがってこれをたとえば特許文献１や特許文献２に示されるような従来一般のエアカーテンやエアシャワー等の他の昆虫類侵入防止装置と組み合わせて出入口１の外側に設置することにより、それら従来の装置の弱点であった床面や壁面を伝っての昆虫類の侵入防止、特に床と壁との入隅部を伝ってくる昆虫類の侵入防止を充分に補完することが可能であり、万全の侵入防止を実現することができる。
【００２６】
以上で本発明の一実施形態を説明したが、本発明は上記実施形態に限定されるものでは勿論なく、たとえば以下に列挙するような様々な設計的変更や応用が可能である。
本発明の昆虫類侵入防止装置の各部の具体的な形状や寸法、仕様は、捕獲対象の昆虫類の種類やその大きさ、習性等を考慮し、また、これを設置するべき出入口の大きさや床面の仕上げやデザイン等も考慮して最適に設計すれば良い。
たとえば上記実施形態では壁チャンバ部９ｂを袖壁４の外側に設置したが、必要であれば適宜のカバーや仕上げ材により隠蔽すれば良いし、図６に示すように袖壁４内に埋設しても良い。勿論、袖壁４は必ずしもコンクリート造等の躯体として形成することはなく、それ自体が昆虫類の侵入を防止できる壁部として機能し得るものであれば各種のパネルや外装材を袖壁に代わる壁部として設けることでも良い。
【００２７】
上記実施形態では吸込口７をベルマウス形状としたが、捕獲対象の昆虫類を吸い込むに必要な充分かつ好ましい吸引空気流が形成できるような吸込口７を床面に開口させておけば良いのであり、その限りにおいて吸込口７の形状や大きさは任意であって必ずしもベルマウス形状とすることはないし、必ずしもその両側にすべり易い折り返し部１１を形成するための鍔部１０を設けることもない。
【００２８】
上記実施形態では捕集機構５の水上側にダクト３０を介して吸込ブロワ６を接続する構成としたが、吸込ブロワ６はチャンバ９内全体を所望の負圧に維持して吸込口７の近傍に所望流速、所望流量の吸込空気流を形成できれば良く、その限りにおいて吸込ブロワ６をチャンバ９の水下側あるいは任意の位置に接続することでも良い。
また、上記実施形態では水抜きのために床チャンバ部９ａに水勾配を確保してその水下側に水抜管２０および排水ピット２２を設けたが、チャンバ９に雨水等の水が流入する懸念が全くなく、また洗浄水や薬液による洗浄を考慮する必要が全くない場合、つまり特に水抜きを考慮する必要が全くない場合には、水抜管２０や排水ピット２２は省略しても差し支えない。
【００２９】
上記実施形態では捕獲した昆虫類を捕捉するためのフィルタ２６，３１を前後に設けて、それらに対する保守を排水ピット２２内で行ったり、ダクト３０を分解することで行うようにしたが、必ずしもそのように構成することはなく、フィルタ２６，３１の要否、設置位置、その保守のための構成等は適宜変更可能である。また、単なるフィルタに代えて各種の昆虫採集器のようなトラップ機構を設けることも考えられるし、さらには捕獲対象の昆虫類を誘因したり、捕獲した昆虫類を死滅させるための機構を付加することも妨げるものではない。
【００３０】
上記実施形態では洗浄機構４０を具備するものとし、その洗浄機構４０としては床チャンバ部９ａの水上側に設けたノズル４３からダクト３０内に洗浄水や薬液を吹き付ける構成としたが、それに代えて、あるいはそれに加えて、スリット８や水抜管２０、排水ピット２２も含めて捕獲機構５全体に洗浄水や薬液を吹き付けたり洗い流すような構成の洗浄機構とすることも考えられる。但し、洗浄作業を他の手段や他の手法で行うことを前提とするような場合には、上記実施形態のような洗浄機構４０を常備しておくことは必ずしも不可欠ではなく、省略することも可能である。
【００３１】
上記実施形態では、出入口１の全幅にわたる床面とそれに連なる袖壁４の下部（床面との入隅部）からの侵入防止を主たる目的として、床吸込口７ａを出入口１の幅全体にわたるように設けるとともに壁吸込口７ｂを袖壁４の下部に設けるに留めたが、壁面全体からの侵入防止のために壁吸込口７ｂを袖壁４の全高にわたるように設ける（その場合には壁チャンバ部９ｂを天井面の高さまで立ち上げれば良い）ことでも勿論良い。
いずれにしても、本発明の昆虫類侵入防止装置はあくまで床面を伝っての侵入と壁面（少なくとも壁面下部）を伝っての侵入を防止するものであるので、飛翔して出入口に飛び込んでくる昆虫類や、他の経路を伝ってくる昆虫類の侵入は他の手段により防止する必要があり、したがって上述したように本発明の昆虫類侵入防止装置はエアカーテンやエアシャワー等の他の装置を補完するものとしてそれらと併用することが現実的であり、通常はそのようにすべきである。
但し、他の経路からの侵入については全く考慮する必要がなく床面および壁面からの侵入のみを考慮すれば良い場合においては、本発明の装置を単独で使用することを妨げるものではない。逆に、必要であれば本発明の装置を床面および壁面のみならず天井面にも設ける（つまり吸込口７を出入口１の全周にわたって隙間なく設ける）ことも考えられ、その場合には床面および壁面のみならず天井面を伝ってくる昆虫類の侵入も有効に防止することができる。
【００３２】
また、エアカーテンやエアシャワー等の他の装置との組み合わせを考慮すれば、本発明の装置は上記実施形態のように出入口の外側に設置することが好ましいが、それに代えて出入口の内側に設置したり、さらには出入口の外側と内側の双方に二重に設置することも考えられる。その場合は、昆虫類が仮に出入口を通過し得たとしてもその直後に捕獲されてしまって、清浄を維持するべき区画までは侵入し得ないことになる。
さらに、本発明の装置は外部から建物への出入口に設置するのみならず、建物の内部を区画してたとえばクリーンルームのような清浄化を維持するべき領域を設けるような場合には、建物内に設けられる区画への出入口に対しても同様に設けることができることは言うまでもない。
【図面の簡単な説明】
【００３３】
【図１】本発明の一実施形態である昆虫類侵入防止装置を出入口の外側に設置した状態を示す平断面図（図２におけるI−I線視図）である。
【図２】同、立断面図（図１におけるII−II線視図）である。
【図３】同、捕獲機構を示す図である。
【図４】同、床チャンバ部、床スリット部、床吸込口を示す立断面図（図２におけるIV−IV線視図）である。
【図５】同、壁チャンバ部、壁スリット部、壁吸込口を示す平断面図（図２におけるV−V線視図）である。
【図６】同、変形例を示す立面図である。
【符号の説明】
【００３４】
１  外壁
２  出入口
３  シャッター
４  袖壁（壁部）
５  捕獲機構
６  吸込ブロワ
７  吸込口
７ａ  床吸込口
７ｂ  壁吸込口
８  スリット
８ａ  床スリット部
８ｂ  壁スリット部
９  チャンバ
９ａ  床チャンバ部
９ｂ  壁チャンバ部
１０  鍔部
１１  折り返し部
２０  水抜管
２１  封水機構
２２  排水ピット
２３  放流管
２４  点検口
２５  封水溜まり
２６  フィルタ
２７  点検口
３０  ダクト
３１  フィルタ
３２  制御装置
４０  洗浄機構
４１  洗浄タンク
４２  供給管
４３  ノズル
４４  薬液
【図１】
2009296965.tif 000003
【図２】
2009296965.tif 000004
【図３】
2009296965.tif 000005
【図４】
2009296965.tif 000006
【図５】
2009296965.tif 000007
【図６】
2009296965.tif 000008